(57)【要約】【課題】偏光構造物、偏光構造物の製造方法、及び偏光構造物を含む有機発光表示装置を提供する。【解決手段】  入射光の互いに直交する偏光成分に対して位相差を付与する位相差層と、前記位相差層上に配置され、第１方向で透過軸を有し、第１領域と前記第１領域の少なくとも１つ以上の一側に位置する第２領域を含む偏光子層と、前記第２領域に配置され、前記第１方向と直交する第２方向で透過軸を有する偏光部と、を含むことを特徴とする偏光構造物。【選択図】図１
2013156620.tif 000002
【特許請求の範囲】
【請求項１】
入射光の互いに直交する偏光成分に対して位相差を付与する位相差層と、
前記位相差層上に配置され、第１方向で透過軸を有し、第１領域と前記第１領域の少なくとも１つ以上の一側に位置する第２領域を含む偏光子層と、
前記第２領域に配置され、前記第１方向と直交する第２方向で透過軸を有する偏光部と、を含むことを特徴とする偏光構造物。
【請求項２】
前記第１領域は表示装置の表示領域に対応し、前記第２領域は前記表示装置の周辺領域に対応することを特徴とする請求項１に記載の偏光構造物。
【請求項３】
前記第１領域に配置される光学的等方性を有するベース層をさらに含み、前記偏光部は前記ベース層の少なくとも１つ以上の一側に位置することを特徴とする請求項１または２に記載の偏光構造物。
【請求項４】
前記位相差層は前記第１領域に配置され、前記偏光部は前記位相差層の少なくとも１つ以上の一側に位置することを特徴とする請求項１または２に記載の偏光構造物。
【請求項５】
前記位相差層と前記偏光子層との間に配置される接着層をさらに含み、前記接着層は前記第１領域に配置され、前記偏光部は前記接着層の少なくとも１つ以上の一側に位置することを特徴とする請求項１または２に記載の偏光構造物。
【請求項６】
前記位相差層と前記偏光子層との間に配置される第１保護層をさらに含み、前記第１保護層は前記第１領域に配置され、前記偏光部は前記第１保護層の少なくとも１つ以上の一側に位置することを特徴とする請求項１または２に記載の偏光構造物。
【請求項７】
前記偏光子層上に配置される第２保護層をさらに含み、前記第２保護層は前記第１領域に配置され、前記偏光部は前記第２保護層の少なくとも１つ以上の一側に位置することを特徴とする請求項１または２に記載の偏光構造物。
【請求項８】
前記偏光部は、多角形帯の形状、楕円形帯の形状、円形帯の形状、ライン形状、折り曲げられたライン形状、及び「Ｕ」字形状のうちの少なくともいずれか１つの平面形状を有することを特徴とする請求項１〜請求項７のいずれか一項に記載の偏光構造物。
【請求項９】
表示領域と前記表示領域の少なくとも１つ以上の一側に位置する周辺領域を含む第１基板と、
前記表示領域の前記第１基板の第１面上に配置される発光構造物と、
前記周辺領域の前記第１基板の前記第１面上に配置される周辺回路部と、
入射光の互いに直交する偏光成分に対して位相差を付与する位相差層と、
前記位相差層上に配置され、第１方向に透過軸を有し、前記表示領域に対応する第１領域と前記周辺領域に対応する第２領域とを含む偏光子層と、
前記第２領域に配置され、前記第１方向と直交する第２方向で透過軸を有する偏光部を含み、前記第１基板の第２面上に配置される偏光構造物と、を含むことを特徴とする有機発光表示装置。
【請求項１０】
前記偏光構造物は、前記第１領域に配置される光学的等方性を有するベース層をさらに含み、前記偏光部は前記ベース層の少なくとも１つ以上の一側に位置することを特徴とする請求項９に記載の有機発光表示装置。
【請求項１１】
前記位相差層は、前記第１領域に配置され、前記偏光部は前記位相差層の少なくとも１つ以上の一側に位置することを特徴とする請求項９に記載の有機発光表示装置。
【請求項１２】
前記偏光構造物は、前記位相差層と前記偏光子層との間に配置される接着層をさらに含み、前記接着層は前記第１領域に配置され、前記偏光部は前記接着層の少なくとも１つ以上の一側に位置することを特徴とする請求項９に記載の有機発光表示装置。
【請求項１３】
前記偏光構造物は、前記位相差層と前記偏光子層との間に配置される第１保護層をさらに含み、前記第１保護層は、前記第１領域に配置され、前記偏光部は前記第１保護層の少なくとも１つ以上の一側に位置することを特徴とする請求項９に記載の有機発光表示装置。
【請求項１４】
前記偏光構造物は、前記偏光子層上に配置される第２保護層をさらに含み、前記第２保護層は前記第１領域に配置され、前記偏光部は前記第２保護層の少なくとも１つ以上の一側に位置することを特徴とする請求項９に記載の有機発光表示装置。
【請求項１５】
前記偏光部は、多角形帯の形状、楕円形帯の形状、円形帯の形状、ライン形状、折り曲げられたライン形状、及び「Ｕ」字形状のうちの少なくともいずれか１つの平面形状を有することを特徴とする請求項９〜請求項１４のいずれか一項に記載の有機発光表示装置。
【請求項１６】
入射光の互いに直交する偏光成分に対して位相差を付与する位相差層を形成する段階と、
第１領域及び第２領域を含み、第１方向で透過軸を有する偏光子層を前記位相差層上に形成する段階と、
前記偏光子層の少なくとも１つの面上に少なくとも１つの保護層を形成する段階と、
前記位相差層と前記偏光子層との間に接着層を形成する段階と、
前記保護層、前記接着層または、前記位相差層の少なくとも１つ以上の一側に位置し、前記第１方向に直交する第２方向で透過軸を有する偏光部を形成する段階と、を含む偏光構造物の製造方法。
【請求項１７】
前記位相差層と前記接着層との間、前記接着層と前記偏光子層との間、及び前記保護層と前記偏光子層との間のうち、いずれか１つに前記第１領域に対応するベース層を形成する段階をさらに含み、
前記偏光部は前記ベース層の少なくとも１つ以上の一側に位置することを特徴とする請求項１６に記載の偏光構造物の製造方法。
【請求項１８】
前記偏光部を形成する段階は、
前記保護層の前記第２領域に対応する部分を除去する段階と、
前記保護層の少なくとも１つ以上の一側に位置する偏光部を前記第２領域に形成する段階と、を含むことを特徴とする請求項１６に記載の偏光構造物の製造方法。
【請求項１９】
前記偏光部を形成する段階は、
前記位相差層の前記第２領域に対応する部分を除去する段階と、
前記位相差層の少なくとも１つ以上の一側に位置する偏光部を前記第２領域に形成する段階と、を含むことを特徴とする請求項１６に記載の偏光構造物の製造方法。
【請求項２０】
前記偏光部を形成する段階は、
前記接着層の前記第２領域に対応する部分を除去する段階と、
前記接着層の少なくとも１つ以上の一側に位置する偏光部を前記第２領域に形成する段階と、を含むことを特徴とする請求項１６に記載の偏光構造物の製造方法。
【発明の詳細な説明】
【技術分野】
【０００１】
本発明は、偏光構造物、偏光構造物の製造方法、及び偏光構造物を含む有機発光表示装置に関する。
【背景技術】
【０００２】
有機発光表示（ｏｒｇａｎｉｃ  ｌｉｇｈｔ  ｅｍｉｔｔｉｎｇ  ｄｉｓｐｌａｙ：ＯＬＥＤ）装置は、陽極（ａｎｏｄｅ）と陰極（ｃａｔｈｏｄｅ）からそれぞれ提供される正孔と電子がこれら電極との間に位置する有機発光層で結合し生成される光を利用して画像、文字などの情報を示すことのできる表示装置をいう。有機発光表示装置は、広い視野角、速い応答速度、薄さ、低い消費電力などの様々な長所を有するため有望な次世代ディスプレイ装置として脚光を浴びている。有機発光表示装置は、発光面上に配置された、外光反射を抑制する偏光構造物を含む。
【先行技術文献】
【特許文献】
【０００３】
【特許文献１】特開２００９−１７５５３１号公報
【発明の概要】
【発明が解決しようとする課題】
【０００４】
通常、有機発光表示装置は有機発光素子が配置される表示領域と周辺回路が配置される周辺領域に区分することができる。前記周辺回路を使用者から隠すためにフレーム、または、遮光膜が前記周辺領域を覆うように配置される。
【０００５】
しかし、ブラックマトリックスのような遮光膜が前記有機発光表示装置の偏光フィルムと表示パネルとの間に配置される場合、前記ブラックマトリックスが外部に露出し、有機発光表示装置の製造工程が複雑になる。
【０００６】
そこで、本発明は上記問題に鑑みてなされたものであり、本発明の目的とするところは、製造工程が単純化した、新規かつ改良された偏光構造物、偏光構造物の製造方法、及び前記偏光構造物を含んだ有機発光表示装置を提供することにある。
【０００７】
本発明の解決しようとする課題は、上述した課題に限定されるのではなく、本発明の思想及び領域から逸脱しない範囲で多様に拡張されるべきである。
【課題を解決するための手段】
【０００８】
上記課題を解決するために、本発明のある観点によれば、入射光の互いに直交する偏光成分に対して位相差を付与する位相差層と、前記位相差層上に配置され、第１方向で透過軸を有し、第１領域と前記第１領域の少なくとも１つ以上の一側に位置する第２領域を含む偏光子層と、前記第２領域に配置され、前記第１方向と直交する第２方向で透過軸を有する偏光部と、を含むことを特徴とする偏光構造物が提供される。
【０００９】
前記第１領域は表示装置の表示領域に対応し、前記第２領域は前記表示装置の周辺領域に対応してもよい。
【００１０】
前記偏光構造物は、前記第１領域に配置される光学的等方性を有するベース層をさらに含み、前記偏光部は前記ベース層の少なくとも１つ以上の一側に位置してもよい。
【００１１】
前記位相差層は、前記第１領域に配置され、前記偏光部は前記位相差層の少なくとも１つ以上の一側に位置してもよい。
【００１２】
前記偏光構造物は、前記位相差層と前記偏光子層との間に配置される接着層をさらに含み、前記接着層は、前記第１領域に配置され、前記偏光部は、前記接着層の少なくとも１つ以上の一側に位置してもよい。
【００１３】
前記偏光構造物は、前記位相差層と前記偏光子層との間に配置される第１保護層をさらに含み、前記第１保護層は前記第１領域に配置され、前記偏光部は前記第１保護層の少なくとも１つ以上の一側に位置してもよい。
【００１４】
前記偏光構造物は、前記偏光子層上に配置される第２保護層をさらに含み、前記第２保護層は前記第１領域に配置され、前記偏光部は前記第２保護層の少なくとも１つ以上の一側に位置してもよい。
【００１５】
前記偏光部は、多角形帯の形状、楕円形帯の形状、円形帯の形状、ライン形状、折り曲げられたライン形状、及び、「Ｕ」字形状のうちの少なくともいずれか１つの平面形状を有してもよい。
【００１６】
また、上記課題を解決するために、本発明の別の観点によれば、表示領域と前記表示領域の少なくとも１つ以上の一側に位置する周辺領域を含む第１基板と、前記表示領域の前記第１基板の第１面上に配置される発光構造物と、前記周辺領域の前記第１基板の前記第１面上に配置される周辺回路部と、入射光の互いに直交する偏光成分に対して位相差を付与する位相差層と、前記位相差層上に配置され、第１方向に透過軸を有し、前記表示領域に対応する第１領域と前記周辺領域に対応する第２領域とを含む偏光子層と、前記第２領域に配置され、前記第１方向と直交する第２方向に透過軸を有する偏光部を含み、前記第１基板の第２面上に配置される偏光構造物と、を含むことを特徴とする有機発光表示装置が提供される。
【００１７】
前記偏光構造物は、前記第１領域に配置される光学的等方性を有するベース層をさらに含み、前記偏光部は前記ベース層の少なくとも１つ以上の一側に位置してもよい。
【００１８】
前記位相差層は、前記第１領域に配置され、前記偏光部は前記位相差層の少なくとも１つ以上の一側に位置してもよい。
【００１９】
前記偏光構造物は、前記位相差層と前記偏光子層との間に配置される接着層をさらに含み、前記接着層は前記第１領域に配置され、前記偏光部は前記接着層の少なくとも１つ以上の一側に位置してもよい。
【００２０】
前記偏光構造物は、前記位相差層と前記偏光子層との間に配置される第１保護層をさらに含み、前記第１保護層は前記第１領域に配置され、前記偏光部は前記第１保護層の少なくとも１つ以上の一側に位置してもよい。
【００２１】
前記偏光構造物は、前記偏光子層上に配置される第２保護層をさらに含み、前記第２保護層は前記第１領域に配置され、前記偏光部は前記第２保護層の少なくとも１つ以上の一側に位置してもよい。
【００２２】
前記偏光部は、多角形帯の形状、楕円形帯の形状、円形帯の形状、ライン形状、折り曲げられたライン形状、及び、「Ｕ」字形状のうちの少なくともいずれか１つの平面形状を有してもよい。
【００２３】
また、上記課題を解決するために、本発明の別の観点によれば、入射光の互いに直交する偏光成分に対して位相差を付与する位相差層を形成する段階と、第１領域及び第２領域を含み、第１方向で透過軸を有する偏光子層を前記位相差層上に形成する段階と、前記偏光子層の少なくとも１つの面上に少なくとも１つの保護層を形成する段階と、前記位相差層と前記偏光子層との間に接着層を形成する段階と、前記保護層、前記接着層、または、前記位相差層の少なくとも１つ以上の一側に位置し、前記第１方向に直交する第２方向に透過軸を有する偏光部を形成する段階と、を含む偏光構造物の製造方法が提供される。
【００２４】
前記偏光構造物の製造方法は、前記位相差層と前記接着層との間、前記接着層と前記偏光子層との間、及び、前記保護層と前記偏光子層との間のうち、いずれか１つに第１領域に対応するベース層を形成する段階をさらに含み、前記偏光部は前記ベース層の少なくとも１つ以上の一側に位置してもよい。
【００２５】
前記偏光部を形成する段階は、前記保護層の第２領域に対応する部分を除去する段階と、前記保護層の少なくとも１つ以上の一側に位置する偏光部を前記第２領域に形成する段階と、を含んでもよい。
【００２６】
前記偏光部を形成する段階は、前記位相差層の第２領域に対応する部分を除去する段階と、前記位相差層の少なくとも１つ以上の一側に位置する偏光部を前記第２領域に形成する段階と、を含んでもよい。
【００２７】
前記偏光部を形成する段階は、前記接着層の前記第２領域に対応する部分を除去する段階と、前記接着層の少なくとも１つ以上の一側に位置する偏光部を前記第２領域に形成する段階と、を含んでもよい。
【発明の効果】
【００２８】
以上説明したように本発明によれば、製造工程を単純化することが可能である。
【図面の簡単な説明】
【００２９】
【図１】本発明の本発明の一実施形態に係る偏光構造物を示す断面図である。
【図２】本発明の本発明の一実施形態に係る偏光構造物を示す平面図である。
【図３】本発明の他の実施形態に係る偏光構造物を示す断面図である。
【図４】本発明の多様な実施形態に係る偏光構造物を示す断面図である。
【図５】本発明の多様な実施形態に係る偏光構造物を示す断面図である。
【図６】本発明の多様な実施形態に係る偏光構造物を示す断面図である。
【図７】本発明の本発明の一実施形態に係る有機発光表示装置を示す断面図である。
【図８】本発明の本発明の一実施形態に係る偏光構造物の製造方法を説明するための斜視図である。
【図９】本発明の本発明の一実施形態に係る偏光構造物の製造方法を説明するための斜視図である。
【図１０】本発明の本発明の一実施形態に係る偏光構造物の製造方法を説明するための斜視図である。
【発明を実施するための形態】
【００３０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３１】
本発明は本明細書に記載された実施形態によって制限されるものではない。該当分野の通常の知識を有する者であれば、本発明の技術的思想を逸脱しない範囲内で本発明を多様な他の形態で具現することができる。
【００３２】
本明細書において、特定の構造的ないし機能的説明は、単に本発明の実施形態を説明する目的で例示されたものである。本発明の実施形態は多様な形態で実施されることができ、本明細書に説明された実施形態に限定されると解釈されるべきではなく、本発明の思想及び技術範囲に含まれる全ての変更、均等物ないし代替物を含むと理解されるべきである。
【００３３】
ある構成要素が他の構成要素に「連結されて」いる、または「接続されて」いると言及された場合には、その他の構成要素に直接的に連結されている、または、接続されていることも意味するが、中間に他の構成要素が存在する場合も含むと理解されるべきである。一方、ある構成要素が他の構成要素に「直接連結されて」いる、または「直接接続されて」いると言及された場合には、中間に他の構成要素が存在しないと理解されるべきである。構成要素の間の関係を説明する他の表現、即ち、「〜の間に」と「直接〜の間に」または「〜に隣接する」と「〜に直接隣接する」等も同じように解釈されるべきである。
【００３４】
本明細書で使用した用語は、単に特定の実施形態を説明するために使用されたもので、本発明を限定するものではない。単数の表現は文脈上明白に異なることがない限り、複数の表現を含む。本明細書で、「含む」、「備える」、または「有する」等の用語は明細書上に記載された特徴、数字、段階、動作、構成要素、部品または、これを組み合わせたのが存在するということを示すものであって、１つまたはそれ以上の他の特徴や数字、段階、動作、構成要素、部品または、これを組み合わせたものの存在または、付加の可能性を、予め排除するわけではない。
【００３５】
また、別に定義しない限り、技術的或いは科学的用語を含み、本明細書中において使用される全ての用語は本発明が属する技術分野で通常の知識を有する者であれば、一般的に理解するのと同一の意味を有する。一般的な辞書において定義される用語と同じ用語は、関連技術の文脈上有する意味と同一の意味を有するものと理解されるべきで、本明細書において明白に定義しない限り、理想的或いは形式的な意味として解釈してはならない。
【００３６】
第１、第２等の用語は多様な構成要素を説明するのに使用されるが、これらの構成要素はこのような用語によって限定されてはならない。これらの用語は１つの構成要素を他の構成要素から区別する目的で使われる。例えば、本発明の権利範囲から逸脱せずに第１構成要素を第２構成要素と命名することができ、同様に第２構成要素も第１構成要素と命名することができる。
【００３７】
図１は本発明の本発明の一実施形態に係る偏光構造物（ｐｏｌａｒｉｚａｔｉｏｎ  ｓｔｒｕｃｔｕｒｅ）を示す断面図であり、図２は本発明の本発明の一実施形態に係る偏光構造物を示す平面図である。
【００３８】
図１を参照すれば、偏光構造物１００は、位相差層１２０、ベース層１３０、偏光部１３５、偏光子層１６０、表面処理層１８０、少なくとも１つ以上の接着層、少なくとも１つ以上の保護層などを含む。前記接着層は第１接着層１１０及び第２接着層１４０を含み、前記保護層は第１保護層１５０及び第２保護層１７０を含む。
【００３９】
図２を参照すれば、偏光構造物１００は第１領域（Ｉ）と第１領域（Ｉ）を実質的に囲む第２領域（ＩＩ）に区分することができる。ここで、第２領域（ＩＩ）は第１領域（Ｉ）の少なくとも１つ以上の一側に位置してもよい。本実施形態において、図２に示したように、第２領域（ＩＩ）は第１領域（Ｉ）の４つの側に位置する。他の実施形態によれば、第２領域（ＩＩ）は第１領域（Ｉ）の少なくとも１つ以上の一側に位置するように配置されることができる。即ち、第２領域（ＩＩ）は、第１領域（Ｉ）の上側、下側、右側及び左側のうち、少なくとも１つ以上に隣接して配置されることができる。
【００４０】
偏光構造物１００の第１領域（Ｉ）は有機発光表示装置（図７参照）の有機発光構造物が配置される表示領域（ＩＩＩ）に実質的に対応し、第２領域（ＩＩ）は前記有機発光表示装置の周辺回路部が配置される周辺領域（ＩＶ）に実質的に対応することができる。一方、偏光構造物１００の第２領域（ＩＩ）は、前記有機発光表示装置の発光方向に実質的に直交する第１方向及び前記発光方向に実質的に直交する第２方向に延伸することができ、前記有機発光表示装置のサイズにより所定の幅を有することができる。また、前記第１方向と前記第２方向は直交する。
【００４１】
第１接着層１１０は偏光構造物１００を有機発光表示装置のような表示装置の表示パネル（図示せず）に接着させる役割を遂行する。第１接着層１１０は第１領域（Ｉ）と第２領域（ＩＩ）を含むことができる。本実施形態において、第１接着層１１０は感圧性接着剤（ｐｒｅｓｓｕｒｅ  ｓｅｎｓｉｔｉｖｅ  ａｄｈｅｓｉｖｅ）であってもよい。例えば、前記感圧性接着剤は、ゴム系（ｒｕｂｂｅｒ−ｂａｓｅｄ）接着剤、アクリル系（ａｃｒｙｌ−ｂａｓｅｄ）接着剤、ビニールエーテル系（ｖｉｎｙｌ  ｅｓｔｅｒ−ｂａｓｅｄ）接着剤、シリコン系（ｓｉｌｉｃｏｎ−ｂａｓｅｄ）感圧性接着剤、ウレタン系（ｕｒｅｔｈａｎｅ−ｂａｓｅｄ）感圧性接着剤などであってもよい。第１接着層１１０が前記感圧性接着剤を含む場合、第１接着層１１０に圧力を加えて偏光構造物１００を表示パネルなどに接着させることができる。
【００４２】
位相差層１２０は第１接着層１１０上に位置する。例えば、位相差層１２０は、ポリスチレン（ｐｏｌｙｓｔｙｒｅｎｅ）、ポリカーボネート（ｐｏｌｙｃａｒｂｏｎａｔｅ）、ポリビニルアルコール（ｐｏｌｙｖｉｎｙｌ  ａｌｃｏｈｏｌ）、ポリプロピレン（ｐｏｌｙｐｒｏｐｙｌｅｎｅ）、ポリメチルメタクリレート（ｐｏｌｙｍｅｔｈｙｌ  ｍｅｔｈａｃｒｙｌａｔｅ）、ポリオレフィン（ｐｏｌｙｏｌｅｆｉｎｅ）、ポリアリレート（ｐｏｌｙａｒｙｌａｔｅ）、ポリアミド（ｐｏｌｙａｍｉｄｅ）、シクロオレフィンポリマー（ｃｙｃｌｏｏｌｅｆｉｎ  ｐｏｌｙｍｅｒ）、シクロオレフィンコーポリマー（ｃｙｃｌｏｏｌｅｆｉｎ  ｃｏｐｏｌｙｍｅｒ）、トリアセチルセルロース（ｔｒｉａｃｅｔｙｌ  ｃｅｌｌｕｏｓｅ）などのようなポリマーを含む複屈折性フィルム、液晶ポリマーの配向フィルム、液晶ポリマーの配向層を含むフィルムなどであってもよい。
【００４３】
位相差層１２０は、入射する光の２つの偏光成分に位相差を付与することができる。本実施形態において、位相差層１２０は互いに直交する２つの偏光成分に対して一定の位相差を付与することができる。例えば、前記位相差を光の波長の約１／４程度に調節することができる。他の実施形態によれば、位相差層１２０は通過する光の波長と前記２つの偏光成分に対する位相差が実質的に比例する逆分散（ｉｎｖｅｒｓｅ  ｄｉｓｐｅｒｓｉｏｎ）位相差フィルムであってもよい。これによって、位相差層１２０は、入射光の直線偏光を円偏光に変えたり、或いは、入射光の円偏光を直線偏光に変えたりする役割を遂行することができる。
【００４４】
ベース層１３０は位相差層１２０の第１領域（Ｉ）に位置する。本実施形態において、ベース層１３０は、光学的等方性を有する透明ポリマーであってもよい。これに従って、ベース層１３０は入射する光の偏光特性に影響を及ぼさない。
【００４５】
偏光部１３５は位相差層１２０の第２領域（ＩＩ）に位置する。偏光部１３５はベース層１３０の少なくとも１つ以上の一側に位置するように配置される。また、偏光部１３５は第２領域（ＩＩ）の一部または、全体を覆うことができる。本実施形態において、偏光部１３５はベース層１３０の４つの側に隣接することができる。また、偏光部１３５はベース層１３０の上側、下側、右側、及び左側の少なくとも１つ以上に隣接するように配置されてもよい。偏光部１３５は多角形帯の形状、楕円形帯の形状、円形帯の形状、ライン形状、折り曲げられたライン形状、「Ｕ」字形状などの少なくともいずれか１つの平面形状を有してもよい。例えば、偏光部１３５は多角形帯の形状、楕円形帯の形状、円形帯の形状、ライン形状、折り曲げられたライン形状、「Ｕ」字状、複数のライン形状の組み合わせ、ライン形状と折り曲げられたライン形状の組み合わせ、ライン形状と「Ｕ」字形状の組み合わせなどのような平面形状であってもよい。
【００４６】
偏光部１３５は、ヨード系（ｉｏｄｉｎｅ−ｂａｓｅｄ）物質、染料を含有する物質、ポリエン系（ｐｏｌｙｅｎｅ−ｂａｓｅｄ）物質を含むことができる。本実施形態によれば、偏光部１３５は、延伸によってヨードイオン鎖が配向したポリビニルアルコール（ＰＶＡ）鎖によって偏光性を示すことができる。他の実施形態において、偏光部１３５は、延伸によって二色性染料が配向したポリビニルアルコール鎖によって偏光性を示すことができる。また他の実施形態によれば、偏光部１３５は、ポリビニルアルコールの脱水反応、または、ポリ塩化ビニールの脱塩酸反応によって形成されたポリエン系物質によって偏光性を示すこともできる。
【００４７】
偏光部１３５は入射する光から特定の方向の偏光成分のみを通過させることができる。偏光部１３５は吸収軸と透過軸を有し、前記吸収軸と前記透過軸は実質的に直交する。偏光部１３５は前記透過軸方向に振動する光を透過させることができ、前記吸収軸方向に振動する光を遮断することができる。本実施形態において、前記吸収軸は前記第２方向に対して実質的に平行である。
【００４８】
第２接着層１４０は、ベース層１３０及び偏光部１３５上に位置し、ベース層１３０及び偏光部１３５を、第２接着層１４０上に位置する第１保護層１５０に接着させる役割を遂行する。本実施形態において、第２接着層１４０は第１接着層１１０と実質的に同一または類似する物質であってもよい。
【００４９】
第１保護層１５０は第２接着層１４０上に位置する。第１保護層１５０はその上部に位置する偏光子層１６０を保護及び支持する機能を遂行する。第１保護層１５０は入射する光の偏光特性に実質的に影響を及ぼさない等方性フィルムであってもよい。例えば、第１保護層１５０は、トリアセチルセルロース、シクロオレフィンポリマー、シクロオレフィンコーポリマー、ポリエチレンテレフタレート（ｐｏｌｙｅｔｈｙｌｅｎｅ  ｔｅｒｅｐｈｔｈａｌａｔｅ）、ポリプロピレン、ポリカーボネート、ポリスルホン（ｐｏｌｙｓｕｌｆｏｎｅ）、ポリメチルメタクリレートなどであってもよい。
【００５０】
偏光子層１６０は第１保護層１５０上に位置する。本実施形態において、偏光子層１６０は偏光部１３５と実質的に同一または類似する物質であって、偏光子層１６０は、吸収軸と透過軸を有する。本実施形態において、偏光子層１６０の吸収軸は、前記第１方向に対して実質的に平行である。これに従って、偏光子層１６０の吸収軸は偏光部１３５の吸収軸と実質的に直交することができる。
【００５１】
第２保護層１７０は、偏光子層１６０上に位置し、偏光子層１６０を保護及び支持し、延伸過程を通じて形成される偏光子層１６０が変形されることを防ぐことができる。例えば、第２保護層１７０は、第１保護層１５０と実質的に同一または類似する物質であってもよい。
【００５２】
表面処理層１８０は第２保護層１７０上に位置する。表面処理層１８０は、偏光構造物１００表面での光の反射を防ぐために、少なくとも１つ以上の散乱物質と、前記散乱物質が分散した高分子（ｐｏｌｙｍｅｒ）樹脂とを含む。例えば、表面処理層１８０は、シリカ（ｓｉｌｉｃａ）粒子が分散したアクリレイト（ａｃｒｙｌａｔｅ）樹脂であってもよい。
【００５３】
図１ではベース層１３０及び偏光部１３５が、位相差層１２０と第２接着層１４０との間に配置されることを図示したが、本発明はこれに限定されない。即ち、ベース層１３０及び偏光部１３５は、第２接着層１４０と第１保護層１５０との間、第１保護層１５０と偏光子層１６０との間、偏光子層１６０と第２保護層１７０との間、または、第２保護層１７０と表面処理層１８０との間のうち、少なくとも１つの位置に配置されることができる。
【００５４】
本実施形態によれば、偏光構造物１００は第２領域（ＩＩ）に配置される偏光部１３５を含むことができる。偏光部１３５は、偏光子層１６０の吸収軸に実質的に直交する吸収軸を有するので、第２領域（ＩＩ）を通過する光を遮断する遮光膜としての役割を遂行することができる。これによって、偏光構造物１００の光学的特性を向上させることができる。
【００５５】
偏光構造物１００が有機発光表示装置に適用される場合、使用者から前記有機発光表示装置の周辺回路部を隠すことができるので、追加的なフレーム（ｆｒａｍｅ）または、ベゼル（ｂｅｚｅｌ）が要求されない。また、追加のブラックマトリックスのような遮光膜を形成する工程を省略することができるから、有機発光表示装置を製造するための工程をより単純化することができる。
【００５６】
図３は本発明の他の実施形態に係る偏光構造物を示す断面図である。
【００５７】
図３を参照すれば、本発明の他の実施形態に係る偏光構造物１０２は、第１接着層１１０、位相差層１２１、偏光部１２５、第２接着層１４０、第１保護層１５０、偏光子層１６０、第２保護層１７０、表面処理層１８０などを含む。図３に例示した偏光構造物１０２において、第１接着層１１０、第２接着層１４０、第１保護層１５０、偏光子層１６０、第２保護層１７０、及び表面処理層１８０は、それぞれ図１を参照して説明した偏光構造物１００の第１接着層１１０、第２接着層１４０、第１保護層１５０、偏光子層１６０、第２保護層１７０、及び表面処理層１８０と実質的に同一または類似しているので、これらの部材に対する詳細な説明は省略する。
【００５８】
本発明の他の実施形態において、偏光構造物１０２は、第１領域（Ｉ）と第１領域（Ｉ）の少なくとも１つ以上の一側に位置する第２領域（ＩＩ）とを含むことができる。
【００５９】
位相差層１２１は第１領域（Ｉ）に位置する第１接着層１１０上に位置することができ、偏光部１２５は第２領域（ＩＩ）に位置する第１接着層１１０上に位置することができる。例示的な実施形態において、偏光部１２５は、位相差層１２１の少なくとも１つ以上の一側に位置することができる。
【００６０】
偏光部１２５は入射光の特定の方向の偏光成分のみを通過させることができる。偏光部１２５は吸収軸及び偏光軸を有し、図１を参照して説明した偏光部１３５と実質的に同一または類似する物質であってもよい。本発明の他の実施形態において、偏光部１２５は位相差層１２１の４つの側面全部に隣接する。また、偏光部１２５は位相差層１２１の上側、下側、右側、及び左側のうち、少なくとも１つ以上に隣接してもよい。例えば、偏光部１２５は表示装置の表示パネルの形状により位相差層１２１に隣接する多角形帯の形状、円形帯の形状、楕円形帯の形状、ライン形状、折り曲げられたライン形状、「Ｕ」字形状のうちの少なくともいずれか１つの平面形状を有してもよい。また、複数のライン形状の組み合わせ、ライン形状と折り曲げられたライン形状の組み合わせ、ライン形状と「Ｕ」字形状の組み合わせなどのような平面形状であってもよい。
【００６１】
第２接着層１４０は、位相差層１２１と偏光部１２５上に位置し、第１保護層１５０は第２接着層１４０上に位置する。偏光子層１６０は第１保護層１５０上に位置し、入射光のうち、特定の方向の偏光成分のみを通過させることができる。この時、偏光子層１６０の吸収軸は、偏光部１２５の吸収軸と実質的に直交している。第２保護層１７０と表面処理層１８０は偏光子層１６０上に連続して配置される。
【００６２】
本実施形態によれば、偏光構造物１０２は第２領域（ＩＩ）に配置される偏光部１２５を含むので、表示パネルから発生し第２領域（ＩＩ）を通過する光を、偏光部１２５と偏光子層１６０によって遮断することができる。よって、第２領域（ＩＩ）に配置された偏光部１２５は前記表示パネルの周辺領域に配置される周辺回路部を使用者から隠すことができる。これに従って、偏光構造物１０２を含む表示装置はフレーム、及び／または、ベゼルなどの追加的な部材を要求しない。
【００６３】
図４は本発明の他の実施形態に係る偏光構造物を説明するための断面図である。
【００６４】
図４を参照すれば、偏光構造物１０４は、第１接着層１１０、位相差層１２０、第２接着層１４１、偏光部１４５、第１保護層１５０、偏光子層１６０、第２保護層１７０、表面処理層１８０などを含む。図４に例示した偏光構造物１０４において、第１接着層１１０、位相差層１２０、第１保護層１５０、偏光子層１６０、第２保護層１７０、及び表面処理層１８０は、それぞれ図１を参照して説明した偏光構造物１００の第１接着層１１０、位相差層１２０、第１保護層１５０、偏光子層１６０、第２保護層１７０、及び表面処理層１８０と実質的に同一または類似しているので、これら部材に対する詳細な説明は省略する。
【００６５】
偏光構造物１０４は第１領域（Ｉ）と第２領域（ＩＩ）を含み、第２領域（ＩＩ）は、第１領域（Ｉ）の少なくとも１つ以上の一側に位置してもよい。
【００６６】
位相差層１２０は第１接着層１１０上に位置し、第２接着層１４１は第１領域（Ｉ）の位相差層１２０上に位置する。
【００６７】
本実施形態において、偏光部１４５は第２領域（ＩＩ）の位相差層１２０上に位置し、入射光のうち、特定方向の偏光成分のみを通過させることができる。偏光部１４５は第２接着層１４１の少なくとも１つ以上の一側に位置することができる。例えば、偏光部１４５は第２接着層１４１の４つの側面全部に隣接したり、或いは、第２接着層１４１の４つの側面のうち、少なくとも１つ以上に隣接したりすることができる。ここで、偏光部１４５は図１を参照して説明した偏光部１３５と実質的に同一または類似する物質であってもよく、実質的に同一または類似する形状を有してもよい。
【００６８】
第１保護層１５０は第２接着層１４１と偏光部１４５上に位置する。偏光子層１６０は第１保護層１５０上に位置し、特定方向の偏光成分のみを通過させることができる。この場合、偏光子層１６０の透過軸は偏光部１４５の透過軸と実質的に直交する。表面処理層１８０は第２保護層１７０上に位置し、光の反射を減少させることができる。
【００６９】
本実施形態によれば、偏光構造物１０４は第２領域（ＩＩ）に配置される偏光部１４５を含むことができる。偏光部１４５と偏光子層１６０は第２領域（ＩＩ）で光を遮断できる。即ち、偏光部１４５は第２領域（ＩＩ）に配置され、表示パネルの周辺領域（ＩＶ）に配置される周辺回路部（図示せず）を使用者から隠すことができる。これに従って、偏光構造物１０４を含む表示装置においてフレーム、及び／または、ベゼルを省略することができる。
【００７０】
図５は本発明の他の実施形態に係る偏光構造物を示す断面図である。
【００７１】
図５を参照すれば、偏光構造物１０６は、第１接着層１１０、位相差層１２０、第２接着層１４０、第１保護層１５１、偏光部１５５、偏光子層１６０、第２保護層１７０、表面処理層１８０などを含む。図５に図示した偏光構造物１０６において、第１接着層１１０、位相差層１２０、第２接着層１４０、偏光子層１６０、第２保護層１７０及び表面処理層１８０は、それぞれ図１を参照して説明した偏光構造物１００の第１接着層１１０、位相差層１２０、第２接着層１４０、偏光子層１６０、第２保護層１７０及び表面処理層１８０と実質的に同一または類似しているのでこれらに対する詳細な説明は省略する。また、偏光構造物１０６は第１領域（Ｉ）と第１領域（Ｉ）に隣接する第２領域（ＩＩ）に区分することができる。
【００７２】
本実施形態において、位相差層１２０及び第２接着層１４０は第１接着層１１０上に順に位置する。第１保護層１５１は第１領域（Ｉ）の第２接着層１４０上に位置し、第１保護層１５１の上部に配置される偏光子層１６０を支持することができる。第１保護層１５１は図１を参照して説明した第１保護層１５０と実質的に同一または類似する物質であってもよい。
【００７３】
偏光部１５５は第２領域（ＩＩ）の第２接着層１４０上に位置し、第１保護層１５１の少なくとも１つ以上の一側に位置することができる。偏光部１５５は透過軸と前記透過軸に直交する吸収軸を有し、前記透過軸方向に振動する光を透過させることができる。本実施形態において、偏光部１５５は多角形帯の形状、楕円形帯の形状、円形帯の形状、ライン形状、折り曲げられたライン形状、「Ｕ」字形状のうち少なくともいずれか１つの平面形状を有してもよい。また、複数のライン形状の組み合わせ、ライン形状と折り曲げられたライン形状の組み合わせ、ライン形状と「Ｕ」字形状の組み合わせなどのような平面形状であってもよい。
【００７４】
偏光子層１６０は第１保護層１５１と偏光部１５５上に位置し、特定の方向の偏光成分のみを通過させることができる。また、偏光子層１６０はその上部に配置された第２保護層１７０によって保護及び支持される。表面処理層１８０は第２保護層１７０上に配置されて光の反射を減少させることができる。
【００７５】
本実施形態によれば、偏光構造物１０６は第２領域（ＩＩ）に配置される偏光部１５５を含む。図４を参照して説明した偏光構造物１０４と比較して、偏光構造物１０６は偏光部１４５の位置だけが変更されている。このような場合にも偏光部１５５と偏光子層１６０は、第２領域（ＩＩ）を通過する光を遮断することができ、表示装置の表示パネルの周辺領域に配置される周辺回路部を隠すことができる。
【００７６】
図６は本発明の他の実施形態に係る偏光構造物を示す断面図である。
【００７７】
図６を参照すれば、偏光構造物１０８は、第１接着層１１０、位相差層１２０、第２接着層１４０、第１保護層１５０、偏光子層１６０、第２保護層１７１、偏光部１７５、表面処理層１８０などを含む。図２の偏光構造物１０８において、第１接着層１１０、位相差層１２０、第２接着層１４０、第１保護層１５０、偏光子層１６０、及び表面処理層１８０は、それぞれ図１を参照して説明した偏光構造物１０２の第１接着層１１０、位相差層１２０、第２接着層１４０、第１保護層１５０、偏光子層１６０、及び表面処理層１８０と実質的に同一または類似しているのでこれらに対する詳細な説明は省略する。偏光構造物１０８は第１領域（Ｉ）と第２領域（ＩＩ）に区分することができる。
【００７８】
本実施形態において、位相差層１２０、第２接着層１４０、第１保護層１５０及び偏光子層１６０は第１接着層１１０上に順に位置する。第２保護層１７１は、第１領域（Ｉ）の偏光子層１６０上に位置し、偏光子層１６０を保護及び支持することができる。
【００７９】
偏光部１７５は第２領域（ＩＩ）の偏光子層１６０上に位置し、特定の方向の偏光成分のみを通過させることができる。偏光部１７５の透過軸は、偏光子層１６０の透過軸と実質的に直交する。本実施形態において、偏光部１７５は多角形帯の形状、楕円形帯の形状、円形帯の形状、ライン形状、折り曲げられたライン形状、「Ｕ」字形状のうち、少なくともいずれか１つの平面形状を有してもよい。また、複数のライン形状の組み合わせ、ライン形状と折り曲げられたライン形状の組み合わせ、ライン形状と「Ｕ」字形状の組み合わせなどのような平面形状であってもよい。
【００８０】
表面処理層１８０は第２保護層１７１及び偏光部１７５上に位置し、光の反射を減少させることができる。
【００８１】
本実施形態では、偏光構造物１０８は、図３を参照して説明した偏光構造物１０２と比較して偏光部１７５の位置が変更されている。偏光部１７５の位置が変更されても、第２領域（ＩＩ）で光を遮断する偏光構造物１０８の光学的特性は維持される。これに従って、偏光構造物１０８を具備する表示装置においてフレーム、及び／または、ベゼルを省略することができる。
【００８２】
図７は本発明の一実施形態に係る有機発光表示装置を説明するための断面図である。
【００８３】
図７を参照すれば、本実施形態に係る有機発光表示装置は、有機発光表示パネル２００と偏光構造物１００を含む。ここで、有機発光表示パネル２００は、第１基板２１０、スイッチング構造物２２０、有機発光構造物２３０、周辺回路部２４０、第２基板２５０、シーラント（ｓｅａｌａｎｔ）２６０などを具備する。
【００８４】
本実施形態において、第１基板２１０の第１面上に偏光構造物１００が配置され、第１基板２１０と第２基板２５０との間にスイッチング構造物２２０、有機発光構造物２３０、及び周辺回路部２４０が位置する。例えば、前記有機発光表示装置が背面発光方式である場合、偏光構造物１００は第１基板２１０の底面上に配置され、スイッチング構造物２２０、有機発光構造物２３０、周辺回路部２４０などは、第１基板２１０の上面上に位置することができる。
【００８５】
本実施形態において、有機発光表示パネル２００は、表示領域（Ｉ）と周辺領域（ＩＩ）を含むことができる。この場合、周辺領域（ＩＩ）は表示領域（Ｉ）の少なくとも１つ以上の一側に位置することができる。表示領域（Ｉ）には有機発光構造物２３０が配置され、周辺領域（ＩＩ）には周辺回路を含む周辺回路部２４０が配置される。
【００８６】
第１基板２１０は、透明基板であってもよい。例えば、第１基板２１０はガラス基板、石英基板、透明プラスチック基板、透明セラミック基板などであってもよい。他の実施形態によれば、第１基板２１０は、軟性を有する基板（ｆｌｅｘｉｂｌｅ  ｓｕｂｓｔｒａｔｅ）などであってもよい。
【００８７】
前記有機発光表示パネル２００が能動型駆動方式を採用する場合、前記有機発光表示パネル２００は表示領域（Ｉ）の第１基板２１０の第２面上に位置するスイッチング構造物２２０を含む。例えば、スイッチング構造物２２０は、トランジスタのようなスイッチング素子及び複数の絶縁層であってもよい。
【００８８】
スイッチング構造物２２０の前記スイッチング素子が薄膜トランジスタＴＦＴを含む場合、前記スイッチング素子はゲート電極、ソース電極、ドレーン電極、アクティブ層などであってもよい。
【００８９】
有機発光構造物２３０は表示領域（Ｉ）でスイッチング構造物２２０上に位置し、複数の有機層を含むことができる。例えば、有機発光構造物２３０は正孔輸送層（ＨＩＬ）、発光層（ＥＬ）、電子輸送層（ＥＴＬ）などを含んでもよく、前記発光層は前記表示装置の色画素領域により赤色光（Ｒ）、緑色光（Ｇ）、青色光（Ｂ）などのように互いに異なる色の光を発生させるための発光物質を含んでもよい。
【００９０】
周辺回路部２４０は周辺領域（ＩＩ）の第１基板２１０上に位置する。例えば、周辺回路部２４０はゲート駆動部、データ駆動部、共通電源バスライン、駆動電源ラインなどのような周辺回路を含んでもよい。前記周辺回路は、入力された外部からの信号を有機発光構造物２３０に伝達する役割をする。本実施形態において、周辺回路部２４０は、周辺領域（ＩＩ）に全体的に配置されてもよい。即ち、周辺回路部２４０は表示領域（Ｉ）の４つの一側に位置するように第１基板２１０上に配置されてもよい。また、周辺回路部２４０は表示領域（Ｉ）の上側、下側、右側及び左側のうち、少なくとも１つ以上に隣接するように配置されてもよい。
【００９１】
再び図７を参照すれば、第２基板２５０は、第１基板２１０の第２面に実質的に対向して位置し、透明物質または不透明物質であってもよい。例えば、第２基板２５０はガラス基板、石英基板、透明プラスチック基板などのような透明基板だけでなく金属基板や金属酸化物基板のような不透明基板であってもよい。
【００９２】
シーラント（ｓｅａｌａｎｔ）２６０は、第１基板２１０と第２基板２５０との間に位置し、第１基板２１０と第２基板２５０を結合させながら密封させる役割を遂行する。これにより、水蒸気または汚染物の浸透によって有機発光構造物２３０の有機層が劣化することを防止することができる。
【００９３】
図７に示したように、有機発光表示パネル２００は背面発光方式であるが、本発明がこれによって限定されることはない。即ち、有機発光表示パネル２００は構成要素の配置変更によって前面発光方式であってもよい。
【００９４】
図７を参照すれば、偏光構造物１００は第１基板２１０の第１面上に位置する。偏光構造物１００は、第１接着層１１０、位相差層１２０、ベース層１３０、偏光部１３５、第２接着層１４０、第１保護層１５０、偏光子層１６０、第２保護層１７０、表面処理層１８０などを含む。ここで、偏光構造物１００は、図１を参照して説明した偏光構造物１００と実質的に同一または類似する構造を有するので、これに対する詳細な説明は省略する。偏光構造物１００の第１領域（Ｉ）と第２領域（ＩＩ）は、有機発光表示パネル２００の表示領域（ＩＩＩ）と周辺領域（ＩＶ）にそれぞれ対応する。
【００９５】
図７では、図１を参照して説明したことと実質的に同じ構成を有する偏光構造物１００を含む、前記有機発光表示装置を例示したが、前記有機発光表示装置に含まれる偏光構造物がこれによって制限されることはない。例えば、前記有機発光表示装置は、図３〜図６を参照して説明した偏光構造物１０２、１０４、１０６、１０８のうち、いずれか１つを含んでもよい。
【００９６】
本発明の他の実施形態によれば、有機発光表示装置は、図３に例示したように、偏光子層１６０と、偏光子層１６０の透過軸に実質的に直交する透過軸を有する第２領域（ＩＩ）に配置された偏光部１２５と、を含む偏光構造物１０２を具備することもできる。この場合、第２領域（ＩＩ）及び周辺領域（ＩＶ）において偏光子層１６０と偏光部１２５によって光が遮断される。使用者には周辺領域（ＩＶ）を黒色と表示することができ、周辺回路部２４０を使用者より隠すことができる。これに従って、周辺回路部２４０を隠すためのベゼル、及び／または、フレームを省略することができる。また、遮光膜などを形成するための工程を省略することができる。さらに、光を遮断する構成が外部に露出しないので、前記有機発光表示装置は優秀な耐久性を確保することができる。
【００９７】
図８〜図１０は、本発明の一実施形態に係る偏光構造物の製造方法を説明するための斜視図である。
【００９８】
図８を参照すれば、偏光子層１６０を用意した後、偏光子層１６０の上面及び底面上にそれぞれ保護層及び表面処理層１８０を形成することができる。
【００９９】
本実施形態によれば、第１方向に平行な吸収軸を有する偏光子層１６０を形成することができる。例えば、偏光子層１６０は、ポリビニルアルコール（ＰＶＡ）フィルムを一方向に延伸させた後、ヨードイオンまたは二色性染料を吸着させて収得することができる。前記ヨードイオンまたは前記二色性染料が特定方向に配向されることによって、偏光子層１６０は前記吸収軸、及び前記吸収軸に直交する透過軸を有することができる。
【０１００】
偏光子層１６０の上面及び底面上に保護層が形成される。本実施形態において、偏光子層１６０の上面及び底面上には、それぞれトリアセチルセルロース（ＴＡＣ）などを含む第１保護層１５０及び第２保護層１７０が形成され、第２保護層１７０上には表面処理層１８０が形成される。第１保護層１５０、偏光子層１６０、第２保護層１７０及び表面処理層１８０は、ラミネーティング工程によって接合される。このようなラミネーティング工程は、ロール・ツー・ロール（ｒｏｌｌ−ｔｏ−ｒｏｌｌ）ラミネーティング工程、シート・ツー・ロール（ｓｈｅｅｔ−ｔｏ−ｒｏｌｌ）ラミネーティング工程及びシート・ツー・シート（ｓｈｅｅｔ−ｔｏ−ｓｈｅｅｔ）ラミネーティング工程であってもよい。
【０１０１】
図９を参照すれば、第１保護層１５０の底面上に、位相差層１２１と、位相差層１２１の少なくとも１つ以上の一側に位置する偏光部１２５と、が形成される。
【０１０２】
位相差層１２１は、複屈折性フィルム、液晶ポリマーの配向フィルムなどを利用し形成される。例えば、シクロオレフィンポリマー（ｃｙｃｌｏｏｌｅｆｉｎ  ｐｏｌｙｍｅｒ）を溶融させた後に予め決まった幅と厚さを有するフィルム形状に圧出し、熱処理した後に第１領域（Ｉ）に対応する大きさに切断して位相差層１２１を形成することができる。
【０１０３】
本実施形態において、ポリビニルアルコール（ＰＶＡ）フィルムを一側方向に延伸させた後、ヨードイオンまたは二色性染料を吸着して偏光膜を形成し、前記偏光膜を第２領域（ＩＩ）に実質的に対応する形状で切断して偏光部１２５を形成することができる。例えば、偏光部１２５の厚さは、位相差層１２１の厚さと実質的に同一であってもよい。また、偏光部１２５の延伸方向は偏光子層１６０の延伸方向と実質的に直交する。
【０１０４】
偏光部１２５は位相差層１２１の少なくとも１つ以上の一側に位置するように第１保護層１５０の底面上に形成される。
【０１０５】
図１０を参照すれば、第１保護層１５０と位相差層１２１との間に第２接着層１４０を形成でき、位相差層１２１の底面上に第１接着層１１０を形成できる。
【０１０６】
第１保護層１５０と位相差層１２１との間に第２接着層１４０が形成され、位相差層１２１の底面上には第１接着層１１０が形成される。本実施形態において、第１接着層１１０、位相差層１２１と偏光部１２５、第２接着層１４０、偏光子層１６０と第１及び第２保護層１５０、１７０、並びに表面処理層１８０をラミネーティングして偏光構造物１０２を収得することができる。偏光部１２５及び位相差層１２１は、表示装置の表示パネルに実質的に対応する大きさで切断される。そのため、ラミネーティング工程は、シート・ツー・ロール（ｓｈｅｅｔ−ｔｏ−ｒｏｌｌ）ラミネーティング工程、またはシート・ツー・シート（ｓｈｅｅｔ−ｔｏ−ｓｈｅｅｔ）ラミネーティング工程であってもよい。
【０１０７】
図８〜図１０を参照して説明した方法によって、図３を参照して説明した偏光構造物１０２と実質的に同一または類似の構成を有する偏光構造物を収得できるが、偏光構造物の構成がこれによって制限されることはない。即ち、上述した製造方法の各工程の自明な変更を通じて、図１及び図４〜図６を参照して説明した偏光構造物１００、１０４、１０６、１０８を収得することもできる。
【０１０８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【０１０９】
本発明の実施形態によれば、偏光構造物は周辺領域の第２領域に配置される偏光部を含む。このような偏光部は偏光子層の透過軸に実質的に直交する透過軸を有するので、第２領域を通じて放出される光を遮断する遮光膜としての役割を遂行することができる。前記偏光構造物が有機発光表示装置に適用される場合、使用者から有機発光表示装置の周辺回路部を隠すことができるので、追加のフレーム（ｆｒａｍｅ）またはベゼル（ｂｅｚｅｌ）を省略することができる。また、追加のブラックマトリックスのような遮光膜を形成する必要性がなくなるので、前記有機発光表示装置の製造工程をより単純化することができる。本発明の実施形態に係る有機発光表示装置は、通常のディスプレイ装置として利用可能なだけでなく情報を伝達できる家電製品、電子本などのような多様な電気及び電子機器に適用可能である。
【符号の説明】
【０１１０】
１００、１０２、１０４、１０６、１０８      偏光構造物
１１０                                      第１接着層
１２０、１２１                              位相差層
１２５、１３５、１４５、１５５、１７５      偏光部
１３０          ベース層
１４０、１４１  第２接着層
１５０、１５１  第１保護層
１６０          偏光子層
１７０、１７１  第２保護層
１８０  表面処理層
２００  有機発光表示パネル
２１０  第１基板
２２０  第２基板
２３０  スイッチング構造物
２４０  有機発光構造物
２５０  周辺回路部
【図１】
2013156620.tif 000003
【図２】
2013156620.tif 000004
【図３】
2013156620.tif 000005
【図４】
2013156620.tif 000006
【図５】
2013156620.tif 000007
【図６】
2013156620.tif 000008
【図７】
2013156620.tif 000009
【図８】
2013156620.tif 000010
【図９】
2013156620.tif 000011
【図１０】
2013156620.tif 000012